(57)【要約】【課題】直交周波数分割多重キャリア上でデータを送信するための方法、ネットワーク基地局、およびユーザ通信デバイスを提供する。【解決手段】アンテナ・アレイが、レガシー送信アンテナ・セットとの互換性が得られるようにデザインされたレガシー・ユーザ通信デバイスによってデコード可能である信号を送信する。プロセッサ２１０は、信号のサブフレームを、レガシー共通参照シンボル・セットとアンテナ・アレイを指す補足の共通参照シンボル・セットとを用いてエンコードする。【選択図】図２
2010045777.tif 000002
【特許請求の範囲】
【請求項１】
直交周波数分割多重キャリア上でデータを送信する方法であって、
レガシー送信アンテナ・セットとの互換性が得られるようにデザインされたレガシー・ユーザ通信デバイスによってデコード可能である信号を送信すること、
前記信号のサブフレームを、レガシー共通参照シンボル・セットと、送信アンテナ・セットを指す補足の共通参照シンボル・セットとを用いてエンコードすること
を備える方法。
【請求項２】
前記補足の共通参照シンボル・セットのうちの少なくとも１つの共通参照シンボルを、少なくとも１つの未割り当てのサブフレームシンボルにマッピングすることをさらに備える請求項１に記載の方法
【請求項３】
前記補足のサブフレームシンボル・セットのうちの少なくとも１つのサブフレームシンボルが前記サブフレームの制御領域内にある、請求項２に記載の方法。
【請求項４】
前記補足のサブフレームシンボル・セットのうちの少なくとも１つのサブフレームシンボルが前記サブフレームのデータ領域内にある、請求項２に記載の方法。
【請求項５】
前記補足の共通参照シンボル・セットを、少なくとも１つの物理資源ブロック内のすべての資源要素にマッピングすることをさらに備える請求項１に記載の方法。
【請求項６】
非レガシー・ユーザ・デバイスに対するデータを前記少なくとも１つの物理資源ブロックにエンコードすることをさらに備える請求項５に記載の方法。
【請求項７】
前記補足の共通参照シンボル・セットの共通参照シンボルを少なくとも１つの制御チャンネル要素にマッピングすることをさらに備える請求項１に記載の方法。
【請求項８】
前記補足の共通参照シンボル・セットの表示を前記信号へエンコードすることをさらに備える請求項１に記載の方法。
【請求項９】
前記補足の共通参照シンボル・セットの表示がシステム情報ブロックまたは物理制御フォーマット表示子チャンネルの少なくとも一方においてエンコードされる、請求項８に記載の方法。
【請求項１０】
レガシー・ユーザ通信デバイスに対して送信される少なくとも１つのデータシンボルをパンクチュアリングすることによって、補足の共通参照シンボル・セットの少なくとも１つの共通参照シンボルをマッピングすることをさらに備える請求項１に記載の方法。
【請求項１１】
直交周波数分割多重キャリア上でデータを送信するための基地局であって、
レガシー送信アンテナ・セットとの互換性が得られるようにデザインされたレガシー・ユーザ通信デバイスによってデコード可能である信号を送信するアンテナ・アレイと、
信号のサブフレームを、レガシー共通参照シンボル・セットと、アンテナ・アレイを指す補足の共通参照シンボル・セットとを用いてエンコードするプロセッサと
を備える基地局。
【請求項１２】
前記プロセッサが、前記補足の共通参照シンボル・セットを未割り当てのサブフレームシンボル・セットにマッピングする、請求項１１に記載の基地局。
【請求項１３】
前記プロセッサが、前記補足の共通参照シンボル・セットの共通参照シンボルを物理資源ブロックにマッピングするとともに、非レガシー・ユーザ・デバイスに対するデータを少なくとも１つの物理資源ブロックにエンコードする、請求項１１に記載の基地局。
【請求項１４】
前記補足の共通参照シンボル・セットの表示を前記信号へエンコードすることをさらに含む、請求項１１に記載の基地局。
【請求項１５】
前記表示が、システム情報ブロックまたは物理制御フォーマット表示子チャンネルの少なくとも一方においてエンコードされる、請求項１４に記載の基地局。
【請求項１６】
直交周波数分割多重上でデータを受信するためのユーザ通信デバイスであって、
レガシー送信アンテナ・セットとの互換性が得られるようにデザインされたレガシー・ユーザ通信デバイスによってデコード可能である信号を受信する送受信装置と、
前記信号のサブフレームから、送信アンテナ・セットを指す補足の共通参照シンボル・セットをデコードするプロセッサと
を備えるユーザ通信デバイス。
【請求項１７】
前記補足の共通参照シンボル・セットが未割り当てのサブフレームシンボル・セットにマッピングされている、請求項１６に記載のユーザ通信デバイス。
【請求項１８】
前記補足の共通参照シンボル・セットの共通参照シンボルが制御チャンネル要素にマッピングされている、請求項１６に記載のユーザ通信デバイス。
【請求項１９】
前記補足の共通参照シンボル・セットの共通参照シンボルが前記サブフレームのデータ領域内の１または複数の資源要素に、レガシー・ユーザ通信デバイスに対する１または複数のデータシンボルをパンクチュアリングすることによってマッピングされている、請求項１６に記載のユーザ通信デバイス。
【請求項２０】
前記補足の共通参照シンボル・セットの表示を前記信号へデコードすることをさらに含む、請求項１６に記載のユーザ通信デバイス。
【発明の詳細な説明】
【技術分野】
【０００１】
本発明は、ロング・ターム・エボリューション・キャリア接続上でデータを送信するための方法およびシステムに関する。本発明はさらに、共通参照シンボルをマッピングおよび信号送信することに関する。
【背景技術】
【０００２】
第３世代パートナーシップ・プロジェクト（３ＧＰＰ）では、世界的に適用可能な進化型ユニバーサル地上無線アクセス（Ｅ−ＵＴＲＡ）に基づく物理層を用いたロング・ターム・エボリューション（ＬＴＥ）キャリアを開発している。ＬＴＥのリリース８では、ＬＴＥ基地局（拡張ノードＢ（ｅＮＢ）と言われる）は、４つのアンテナからなるアレイを用いてユーザ機器の一部に信号を同報する場合がある。アンテナは、物理アンテナの場合もあるし、「仮想」アンテナを含む放射素子の組み合わせの場合もある。信号は、４つのアンテナのそれぞれを表わす４つの共通参照シンボルを用いてエンコードされる場合がある。共通参照シンボルは、コヒーレント復調のための位相基準と基地局間の信号強度比較を行なうためのベンチマークとを与える場合がある。ユーザ機器は信号強度比較を用いることを、ハンドオフに対する適切な時間を決定するためか、またはリンク・アダプテーションのサポートにおいてチャンネル品質を推定する目的で行なう場合がある。また共通参照シンボルは、基地局が適用すべきプリコーディング・マトリックス推薦を決定する目的で、ユーザ機器が用いる場合がある。
【先行技術文献】
【非特許文献】
【０００３】
【非特許文献１】３ＧＰＰ  ＴＳ  ３６．２１１  Ｖ８．３．０、第３世代パートナーシッププロジェクト、技術設計グループ無線アクセスネットワーク、進化型ユニバーサル地上無線アクセス（Ｅ−ＵＴＲＡ）、物理チャンネル及び変調（リリース９）、２００８年５月
【非特許文献２】３ＧＰＰ  Ｒ１−０７３３７６、「Ｅ−ＵＴＲＡ  ＤＬ  Ｌ１／Ｌ２  制御チャンネル設計−ＰＩＣＨ／ＡＩＣＨ／Ｄ−ＢＨＣ」、アテネ、ギリシャ、ＲＡＮ１＃５０、２００７年８月
【発明の概要】
【発明が解決しようとする課題】
【０００４】
直交周波数分割多重キャリア上でデータを送信するための方法、ネットワーク基地局、およびユーザ通信デバイスを提供する。
【課題を解決するための手段】
【０００５】
アンテナ・アレイが、レガシー送信アンテナ・セットと、補足の送信アンテナ・セットとを有する。補足の送信アンテナ・セットは、レガシー送信アンテナ・セットとの互換性が得られるようにデザインされたレガシー・ユーザ通信デバイスによってデコード可能である信号を送信する。プロセッサが、信号のサブフレームを、レガシー送信アンテナ・セットを指すレガシー共通参照シンボル・セットと、補足の送信アンテナ・セットを指す補足の共通参照シンボル・セットとを用いて、エンコードする。
【図面の簡単な説明】
【０００６】
【図１】通信システムの一実施形態を例示する図である。
【図２】基地局として機能するコンピューティング・システムの可能な構成を例示する図である。
【図３】ユーザ通信デバイスの一実施形態をブロック図で例示する図である。
【図４】拡張された送信構成上で送信するためにサブフレームをエンコードするための１つの方法をフローチャートで例示する図である。
【図５】４つの送信アンテナの構成から同報される信号の従来の共通参照シンボルマッピングをブロック図で例示する図である。
【図６】８つの送信アンテナの構成から同報される信号の共通参照シンボルマッピングの第１の実施形態をブロック図で例示する図である。
【図７】８つの送信アンテナの構成から同報される信号の共通参照シンボルマッピングの第２の実施形態をブロック図で例示する図である。
【図８】８つの送信アンテナの構成から同報される信号の共通参照シンボルマッピングの第３の実施形態をブロック図で例示する図である。
【図９】８つの送信アンテナの構成から同報される信号の共通参照シンボルマッピングの第４の実施形態をブロック図で例示する図である。
【図１０】８つの送信アンテナの構成から同報される信号の代替的な共通参照シンボルマッピングの一実施形態をブロック図で例示する図である。
【図１１】８つの送信アンテナの構成に対する物理資源ブロックへの共通参照シンボルマッピングの一実施形態をブロック図で例示する図である。
【図１２】８つの送信アンテナの構成に対する制御チャンネル要素への共通参照シンボルマッピングの一実施形態をブロック図で例示する図である。
【発明を実施するための形態】
【０００７】
図面は本発明の典型的な実施形態のみを示しており、したがって、その有効範囲を限定するものと考えるべきはでないと理解した上で、本発明を、添付図面を用いて、さらなる特定性および詳細を伴って記載および説明する。
【０００８】
本発明のさらなる特徴および優位性について以下の説明で述べるが、部分的に説明から明らかであるかまたは本発明を実施することによって習得される場合がある。本発明の特徴および優位性は、添付の請求項において特に指摘される機器および組み合わせによって、実現され獲得される場合がある。本発明のこれらの特徴および他の特徴は、以下の説明および添付の請求項からさらに十分に明らかとなるか、または本明細書で述べる本発明の実施によって習得される場合がある。
【０００９】
以下、本発明の種々の実施形態について詳細に説明する。特定の実施について説明するが、これは例示のみを目的として行なわれることを理解されたい。当業者であれば分かるように、本発明の趣旨および有効範囲から逸脱することなく、他の構成要素および構成を用いても良い。
【００１０】
本発明には、方法、装置、および電子デバイスなどの種々の実施形態、ならびに本発明の基本的な考え方に関する他の実施形態が含まれる。電子デバイスは、コンピュータ、モバイル・デバイス、または無線通信デバイスのどの方法であっても良い。
【００１１】
直交周波数分割多重キャリア上でデータを送信するための方法、ネットワーク基地局、およびユーザ通信デバイスについて開示する。アンテナ・アレイが、レガシー送信アンテナ・セットと、補足の送信アンテナ・セットとを有する。補足の送信アンテナ・セットは、レガシー送信アンテナ・セットとの互換性が得られるようにデザインされたレガシー・ユーザ通信デバイスによってデコード可能である信号を送信する。プロセッサが、信号のサブフレームを、レガシー送信アンテナ・セットを指すレガシー共通参照シンボル・セットと、補足の送信アンテナ・セットを指す補足の共通参照シンボル・セットとを用いて、エンコードする。
【００１２】
図１に、ロング・ターム・エボリューション（ＬＴＥ）キャリア通信システム１００の一実施形態を例示する。ＬＴＥキャリア・ネットワーク基地１０２が、種々のＬＴＥユーザ機器（ＵＥ）に対するネットワーク１０４へのアクセスを行なう。種々の通信デバイスが、データまたは情報をネットワーク１０４を通して交換しても良い。ネットワーク１０４は、進化型ユニバーサル地上無線アクセス（Ｅ−ＵＴＲＡ）であっても良いし、他のタイプの電気通信網であっても良い。一実施形態では、基地局１０４は、ネットワーク内の分散サーバ・セットであっても良い。
【００１３】
ＬＴＥ  ＵＥは、複数のタイプのハンドヘルドまたはモバイル・デバイス（たとえば携帯電話、ラップトップ、または携帯情報端末（ＰＤＡ））のうちの１つである。一実施形態では、ＬＴＥ  ＵＥは、ＷｉＦｉ（登録商標）対応のデバイス、であっても良いし、ＷｉＭＡＸＲ（登録商標）対応のデバイスであっても良いし、他の無線デバイスであっても良い。ＬＴＥ  ＵＥは、レガシーＵＥデバイス１０６（たとえばＬＴＥリリース８）であっても良いし、補足のＬＴＥ  ＵＥデバイス１０８であっても良い。レガシーＵＥデバイス１０６は、ネットワーク１０４へのアクセスを、閉ループ空間多重化のための指定した数のアンテナ（たとえばＬＴＥリリース８に対して４つ）を伴うレガシー・アンテナ・セット１１０の送信構成との信号接続を形成することによって、行なっても良い。レガシーＵＥデバイス１０６は、ネットワーク１０４へのアクセスを、閉ループ空間多重化のための指定した総数のアンテナ（たとえば８つ）を伴うレガシー・アンテナ・セット１１０と補足のアンテナ・セット１１２との両方の送信構成を有するアンテナ・アレイとの信号接続を形成することによって、行なっても良い。レガシー・アンテナ・セット１１０は、レガシー・デバイス１０６が用いるアンテナ数を有するアンテナ・セットを指しても良く、補足のアンテナ・セット１１２は、レガシー・アンテナ・セット１１０を超える任意のアンテナを指しても良い。レガシー・アンテナ・セット１１０は、補足のアンテナ・セット１１２の前に構築されている必要はない。
【００１４】
図２に、基地局１０２として機能するコンピューティング・システムの可能な構成を例示する。基地局１０２は、コントローラ／プロセッサ２１０、メモリ２２０、データベース・インターフェース２３０、送受信装置２４０、入出力（Ｉ／Ｏ）デバイス・インターフェース２５０、およびネットワーク・インターフェース２６０を備えていても良く、これらはバス２７０を通して接続されていても良い。基地局１０２は、任意のオペレーティング・システム、たとえばマイクロソフト・ウィンドウズ（登録商標）、ユニックス、またはリナックスなどを実施しても良い。クライアントおよびサーバ・ソフトウェアは、任意のプログラム言語、たとえばＣ、Ｃ＋＋、ジャバ、またはビジュアル・ベーシックなどで書かれていても良い。サーバ・ソフトウェアは、アプリケーション・フレームワーク（たとえば、ジャバ（登録商標）サーバまたはＮＥＴ（登録商標）フレームワークなど）上で実行しても良い。
【００１５】
コントローラ／プロセッサ２１０は、当業者には既知である任意のプログラムされたプロセッサであっても良い。しかし決定サポート方法は、汎用または専用コンピュータ、プログラムされたマイクロプロセッサまたはマイクロコントローラ、周辺集積回路素子、特定用途向け集積回路または他の集積回路、ハードウェア／電子論理回路、たとえば個別素子回路、プログラマブル・ロジック・デバイス、たとえばプログラマブル・ロジック・アレイ、フィールド・プログラマブル・ゲート・アレイなどの上で実施しても良い。一般的に、本明細書で説明するような決定サポート方法を実施することができる任意のデバイスを用いて、本発明の決定サポート・システム機能を実施しても良い。
【００１６】
メモリ２２０は、１または複数の電気、磁気、または光メモリ（たとえばランダム・アクセス・メモリ（ＲＡＭ）、キャッシュ、ハード・ドライブ、または他のメモリ・デバイス）を含む揮発性および不揮発性のデータ記憶装置を含んでいても良い。メモリは、特定のデータへの速いアクセスを行なうためのキャッシュを有していても良い。またメモリ２２０は、コンパクト・ディスク読み出し専用メモリ（ＣＤ−ＲＯＭ）、デジタル・ビデオ・ディスク読み出し専用メモリ（ＤＶＤ−ＲＯＭ）、ＤＶＤ読取り書込み入力、テープ・ドライブ、またはメディア・コンテンツをシステム内に直接アップロードすることができる他のリムーバブル・メモリ・デバイスに接続されていても良い。
【００１７】
データは、メモリに記憶しても良いし、別個のデータベースに記憶しても良い。データベース・インターフェース２３０をコントローラ／プロセッサ２１０が用いて、データベースにアクセスしても良い。データベースには、レガシーＵＥデバイス１０６および補足のＵＥデバイス１０８をネットワーク１０４に接続するための任意のフォーマッティング・データが含まれていても良い。
【００１８】
送受信装置２４０は、レガシーＵＥデバイス１０６および補足のＵＥデバイス１０８とのデータ接続を形成する。送受信装置は、レガシー・アンテナ・セット１１０および補足のアンテナ・セット１１２を用いて、基地局１０２とレガシーＵＥデバイス１０６および補足のＵＥデバイス１０８との間で、ダウンリンクおよびアップリンク制御チャンネルとダウンリンクおよびアップリンク・データ・チャンネルとを形成しても良い。
【００１９】
Ｉ／Ｏデバイス・インターフェース２５０は、１または複数の入力デバイスに接続されていても良い。入力デバイスとしては、キーボード、マウス、ペン操作型タッチ・スクリーンもしくはモニタ、音声認識デバイス、または他の任意の、入力を受け入れるデバイスを挙げても良い。またＩ／Ｏデバイス・インターフェース２５０は、１または複数の出力装置、たとえばモニタ、プリンタ、ディスク・ドライブ、スピーカ、または他の任意の、データを出力するために設けられたデバイスに接続されていても良い。Ｉ／Ｏデバイス・インターフェース２５０は、データ・タスクまたは接続基準をネットワーク管理者から受け取っても良い。
【００２０】
ネットワーク接続インターフェース２６０は、通信デバイス、モデム、ネットワーク・インターフェース・カード、送受信装置、または他の任意のデバイスとして、ネットワーク１０４との間で信号を送受信することができるデバイスに接続される。ネットワーク接続インターフェース２６０を用いて、クライアント・デバイスをネットワークに接続しても良い。ネットワーク接続インターフェース２６０を用いて、遠隔会議デバイスを、遠隔会議においてユーザを他のユーザに接続するネットワークに接続しても良い。基地局１０２の構成要素を、たとえば電気的なバス２７０を介して接続しても良いし、無線でリンクしても良い。
【００２１】
クライアント・ソフトウェアおよびデータベースは、コントローラ／プロセッサ２１０によってメモリ２２０からアクセスされても良く、また、たとえばデータベース・アプリケーション、ワード・プロセッシング・アプリケーションとともに、本発明の決定サポート機能を具体化する構成要素を含んでいても良い。基地局１０２は、任意のオペレーティング・システム、たとえばマイクロソフト・ウィンドウズ（登録商標）、リナックス、またはユニックスなどを実施しても良い。クライアントおよびサーバ・ソフトウェアは、任意のプログラム言語、たとえばＣ、Ｃ＋＋、ジャバ、またはビジュアル・ベーシックなどで書かれていても良い。必須ではないが、本発明は、少なくとも部分的には、電子デバイス（たとえば汎用コンピュータ）によって実行されるコンピュータ実行可能命令（たとえばプログラム・モジュール）の一般的な文脈において、記述される。一般的に、プログラム・モジュールには、ルーチン・プログラム、オブジェクト、コンポーネント、データ構造など、特定のタスクを行なうかまたは特定の抽象データ型を実施するものが含まれる。また当業者であれば理解するように、本発明の他の実施形態を、多くのタイプのコンピュータ・システム構成を伴うネットワーク・コンピューティング環境において実施しても良い。コンピュータ・システム構成としては、パーソナル・コンピュータ、ハンドヘルド・デバイス、マルチ・プロセッサ・システム、マイクロプロセッサ・ベースまたはプログラマブル民生用エレクトロニクス、ネットワークＰＣ、ミニコンピュータ、メインフレーム・コンピュータなどを挙げても良い。
【００２２】
図３に、レガシーＵＥデバイス１０６または補足のＵＥデバイス１０８として機能することができるユーザ通信デバイス３００または端末の一実施形態をブロック図で例示する。ＵＥ３００は、ネットワーク１０４に記憶される情報またはデータにアクセス可能である。本発明のいくつかの実施形態では、ＵＥ３００は、ネットワーク１０４との種々の通信を行なうための１または複数のアプリケーションをサポートする。ＵＥ３００は、ハンドヘルド・デバイス、たとえば携帯電話、ラップトップ、または携帯情報端末（ＰＤＡ）であっても良い。本発明のいくつかの実施形態では、ＵＥ３００は、ＷｉＦｉ（登録商標）対応デバイスであっても良い。ＷｉＦｉ（登録商標）対応デバイスを用いて、データを得るためにかまたはＶＯＩＰを用いて音声で、ネットワーク１０４にアクセスしても良い。
【００２３】
ＵＥ３００は、ネットワーク１０４上でデータを送受信することが可能な送受信装置３０２を備える。ＵＥ３００は、記憶されたプログラムを実行するプロセッサ３０４を備える。またＵＥ３００は、プロセッサ３０４によって用いられる揮発性メモリ３０６および不揮発性メモリ３０８を備えていても良い。ＵＥ３００は、たとえばキーパッド、ディスプレイ、タッチ・スクリーンなどの要素を含むことが可能なユーザ入力インターフェース３１０を備えていても良い。またＵＥ３００は、ディスプレイ・スクリーンを含むことが可能なユーザ出力装置と、マイクロフォン、イヤホーン、およびスピーカなどの要素を含むことが可能なオーディオ・インターフェース３１２とを、備えていても良い。またＵＥ３００は、付加的な要素を取り付け可能なコンポーネント・インターフェース３１４、たとえば、ユニバーサル・シリアル・バス（ＵＳＢ）インターフェースを備えていても良い。最後に、ＵＥ３００は電源３１６を備えていても良い。
【００２４】
基地局１０２は、直交周波数分割多重（ＯＦＤＭ）信号を用いて閉ループ空間多重化を実行しても良い。ＯＦＤＭ信号は一連のＯＦＤＭシンボルであっても良い。サブフレームが、固定数の隣接するＯＦＤＭシンボル、たとえば１２または１４個のＯＦＤＭシンボルであっても良い。一般的にＬＴＥでは、閉ループ空間多重化の形態、開ループ空間多重化の形態、または送信ダイバーシチの形態において、アンテナ・チャンネル毎の推定に対して４つの共通参照シンボル（ＣＲＳ）パターンによって表わされる４つの送信アンテナを用いても良い。空間多重化および送信ダイバーシチのより新しい方法では、８つのＣＲＳパターンによって表わされる８つの送信アンテナを用いても良い。しかしこれらの８つのＣＲＳパターン信号を、レガシーＬＴＥ  ＵＥデバイス１０６によってデコード可能となるように配列するか、またはレガシー数の送信アンテナに適合するようにデザインして、基地局１０２が空間多重化および送信ダイバーシチのより新しい方法を実行する状態で機能するようにしても良い。特別なフレーム・ビットマップ、またはサブフレームの状態もしくはフォーマットを示す他の手段が、Ｋ個のサブフレーム・セットにおいてどのサブフレームが特別なフォーマットを有するかを示しても良い。特別なフォーマットは、ユニキャスト制御領域であるシンボルの初期または他のサブセットを有していても良く、一方で、残りのシンボルは、通常のユニキャスト・サブフレームとは異なる何らかの特別な特性を有していても良いし、レガシー端末セットによって認識可能でもデコード可能でもないフォーマットにおいて何らかの特別な特性を有していても良い。たとえば、１つの特別なサブフレーム・フォーマットが、８つのＣＲＳを有して、８つのアンテナ物理ダウンリンク共有チャンネル（ＰＤＳＣＨ）送信を、閉ループ空間多重化を用いてサポートしても良い。サブフレーム・サポートの残りが、４つの送信アンテナをサポートしても良い。
【００２５】
図４に、拡張された送信構成上で送信を行なうためのサブフレームをエンコードする１つの方法４００を、フローチャートで例示する。基地局１０２は、送信構成において用いるアンテナのそれぞれに対して、ＣＲＳセットを用いて送信用のサブフレームをエンコードしても良い（ブロック４０２）。基地局１０２はさらに、データを用いてサブフレームをエンコードしても良い（ブロック４０４）。基地局１０２は、同報制御チャンネル（ＢＣＣＨ）上でシステム情報ブロック（ＳＩＢ）をエンコードして、特別なフレーム・ビットマップまたは個々のサブフレームのステータスの他の表示を信号送信し、使用する送信アンテナ数を示しても良い（ブロック４０６）。たとえば、特別なフレーム・ビットマップは、サブフレーム状態が、ＬＴＥリリース８、ＬＴＥリリース１０、マルチメディア同報マルチキャスト・サービスリリース８、８つのＣＲＳマッピングされた信号、マルチメディア同報多状態リリース１０、多状態同報多状態サービス・リリース１０にリレーを加えたもの、または他の構成であることを示しても良い。基地局１０２は信号を、すべてのエンコーディングが終了した後で送信しても良い（ブロック４０８）。サブフレーム・ステータス表示子、たとえば特別なフレーム・ビットマップを、専用の制御チャンネル信号送信によって特定の端末に配信しても良い。またサブフレーム・ステータス表示子は、構造が階層的であっても良い。たとえばＳＩＢまたは専用の制御チャンネルが、サブフレームを、レガシー・サブフレーム（たとえばリリース８）としてかもしくはレガシー・サブフレームではないとして、または特定の数のアンテナをサポートするとしてかもしくはサポートしないとして分類しても良い。非レガシー・サブフレーム内に埋め込まれたさらなるシグナリング情報によって、適用可能型の非レガシー・サブフレームをさらに確認しても良い。
【００２６】
補足のＣＲＳパターンがマッピングされたときのダウンリンク制御領域サイズが、設定数のＯＦＤＭシンボル（たとえば３）であっても良い。あるいは、フォーマット表示子（たとえば現在は未使用の物理制御フォーマット表示子チャンネル（ＰＣＦＩＣＨ）状態３）が、どのサブフレームが補足のＣＲＳをサポートするかを示す一方で、他の状態０、１、２が、信号送信されたレガシーＣＲＳパターンを示しても良い。フォーマット表示子を、レガシー端末のポピュレーションが使用するように予約しても良いし、ポピュレーションが使用しなくても良い。制御領域サイズを、補足のＣＲＳパターンが存在するときの設定数のＯＦＤＭシンボル（たとえば３）に半静的に設定しても良い。ＰＣＦＩＣＨ状態が３であるか、または信号送信されたサブフレーム表示子（たとえば特別なサブフレーム・スタイル・ビットマップ）が補足のＣＲＳサブフレームを示すときに、設定数の制御領域サイズを想定しても良い。
【００２７】
レガシー送信アンテナ・セット１１０を、レガシーＣＲＳパターン・セットによって表わしても良い。補足の送信アンテナ・セット１１２を、補足のＣＲＳパターン・セットによって表わしても良い。基地局１０２は、補足の共通参照シンボル・セットを、未割り当てのサブフレームシンボル・セット、以前に割り当てたレガシー共通参照シンボル・セット、未割り当てのサブフレームシンボルと以前に割り当てたレガシー共通参照シンボルと・セットみ合わせ、物理資源ブロック・セット、または制御チャンネル要素・セットにマッピングしても良い。未割り当てのサブフレームシンボル・セットは、レガシー共通参照シンボル・セットが割り当てられていないサブフレームシンボル・セットであっても良い。基地局１０２は、補足の共通参照シンボル・セットのマッピングを、レガシー・コードシンボルをパンクチュアリングすることによって行なっても良い。
【００２８】
図５に、４つの送信アンテナの構成から同報されるＯＦＤＭ信号５００の従来のＣＲＳマッピングをブロック図で例示する。信号５００を、時間ドメインに沿ってスロット５０２に分割し、周波数ドメインに沿って資源ブロック（ＲＢ）５０４に分割する。一実施形態においては、各ＲＢ５０４は１２個の資源要素を有していても良い。一実施形態においては、各スロット５０２は７つのＯＦＤＭシンボル５０６を有していても良い。シンボル０〜２を制御シンボル５０８として割り当てても良く、シンボル３〜７をデータシンボルとして割り当てても良い。
【００２９】
最初のＣＲＳ５１０（最初の送信アンテナを指す）を、資源要素１および７におけるシンボル０と資源要素４および１０におけるシンボル４とにマッピングしても良い。２番目のＣＲＳ５１２（２番目の送信アンテナを指す）を、資源要素４および１０におけるシンボル０と資源要素１および７におけるシンボル４とにマッピングしても良い。３番目のＣＲＳ５１４（３番目の送信アンテナを指す）を、資源要素１および７におけるシンボル１にマッピングしても良い。４番目のＣＲＳ５１６（４番目の送信アンテナを指す）を、資源要素４および１０におけるシンボル１にマッピングしても良い。
【００３０】
図６に、８つの送信アンテナの構成から同報されるＯＦＤＭ信号６００のＣＲＳマッピングの第１の実施形態をブロック図で例示する。レガシー送信アンテナ・セットを、図５に示すようにマッピングしても良い。ネットワーク基地局１０２は、補足の共通参照シンボル・セットを制御領域内にマッピングしても良い。５番目のＣＲＳ６０２（５番目の送信アンテナを指す）を、資源要素１および７におけるシンボル２にマッピングしても良い。６番目のＣＲＳ６０４（６番目の送信アンテナを指す）を、資源要素４および１０におけるシンボル２にマッピングしても良い。７番目のＣＲＳ６０６（７番目の送信アンテナを指す）を、資源要素２および８におけるシンボル２にマッピングしても良い。８番目のＣＲＳ６０８（８番目の送信アンテナを指す）を、資源要素５および１１におけるシンボル２にマッピングしても良い。
【００３１】
図７に、８つの送信アンテナの構成から同報されるＯＦＤＭ信号７００のＣＲＳマッピングの第２の実施形態をブロック図で例示する。レガシー送信アンテナ・セットを、図５に示すようにマッピングしても良い。５番目のＣＲＳ６０２（５番目の送信アンテナを指す）を、資源要素１および７におけるシンボル２にマッピングしても良い。６番目のＣＲＳ６０４（６番目の送信アンテナを指す）を、資源要素４および１０におけるシンボル２にマッピングしても良い。７番目のＣＲＳ６０６（７番目の送信アンテナを指す）を、資源要素１および７におけるシンボル３にマッピングしても良い。８番目のＣＲＳ６０８（８番目の送信アンテナを指す）を、資源要素４および１０におけるシンボル３にマッピングしても良い。
【００３２】
図８に、８つの送信アンテナの構成から同報されるＯＦＤＭ信号８００のＣＲＳマッピングの第３の実施形態をブロック図で例示する。レガシー送信アンテナ・セットを、図５に示すようにマッピングしても良い。ネットワーク基地局１０２は、補足の共通参照シンボル・セットをデータ領域内にマッピングしても良い。５番目のＣＲＳ６０２（５番目の送信アンテナを指す）を、資源要素１および７におけるシンボル６にマッピングしても良い。６番目のＣＲＳ６０４（６番目の送信アンテナを指す）を、資源要素４および１０におけるシンボル６にマッピングしても良い。７番目のＣＲＳ６０６（７番目の送信アンテナを指す）を、資源要素２および８におけるシンボル６にマッピングしても良い。８番目のＣＲＳ６０８（８番目の送信アンテナを指す）を、資源要素５および１１におけるシンボル６にマッピングしても良い。この実施形態では、制御領域への任意の影響が回避される場合がある。基地局１０２は、代替的にＣＲＳパターンをシンボル５にマッピングしても良い。基地局１０２は、この実施形態においては、明示的な信号送信なしで済ませても良く、その代わりに、ＣＲＳパターンによってパンクチュアリングされたシンボルに起因するリンク劣化を回避するためにレート・マッチングに基づいても良い。
【００３３】
図９に、８つの送信アンテナの構成から同報されるＯＦＤＭ信号９００のＣＲＳマッピングの第４の実施形態をブロック図で例示する。レガシー送信アンテナ・セットを、図５に示すようにマッピングしても良い。５番目のＣＲＳ６０２（５番目の送信アンテナを指す）を、資源要素１および７におけるシンボル２にマッピングしても良い。６番目のＣＲＳ６０４（６番目の送信アンテナを指す）を、資源要素４および１０におけるシンボル２にマッピングしても良い。７番目のＣＲＳ６０６（７番目の送信アンテナを指す）を、資源要素１および７におけるシンボル６にマッピングしても良い。８番目のＣＲＳ６０８（８番目の送信アンテナを指す）を、資源要素４および１０におけるシンボル６にマッピングしても良い。
【００３４】
基地局１０２は、補足の送信アンテナ・セットに対するＣＲＳパターンを、ＬＴＥキャリアの帯域幅に及ぶ場合がある予約した物理資源ブロック（ＰＲＢ）内に挿入しても良い。ＣＲＳに対する予約したＰＲＢを伴うサブフレームを、ＰＣＦＩＣＨ状態３、特別なサブフレーム型ビットマップ、または他の表示を用いて信号送信しても良い。しかしオーバーヘッドが、ＣＲＳを代わりにＯＦＤＭシンボルにマッピングするときに用いるスパース・マッピングよりも大きい場合がある。そのため、ＣＲＳをＰＲＢにマッピングするアプローチに伴うオーバーヘッドを減らすために、分散割り当てを用いて、データおよびＣＲＳの両方が個々のＰＲＢを占有するようにしても良い。たとえば、基地局１０２が個々のＰＲＢを、レガシー・ユーザ・デバイスまたは非レガシー・ユーザ・デバイスに対する送信信号を用いてエンコードしても良い。あるいは、ＣＲＳを伴うＰＲＢを、連続的なサブフレームまたは送信間隔において周波数帯域全体（またはそのサブ部分）をカバーするようにスケジュールしても良い。
【００３５】
図１０に、８つの送信アンテナの構成から同報されるＯＦＤＭ信号７００の代替的なＣＲＳマッピングの一実施形態をブロック図で例示する。この構成では、補足のセットのＣＲＳ（たとえば、５番目〜８番目の送信ＣＲＳ）のみをマッピングする。５番目のＣＲＳ６０２（５番目の送信アンテナを指す）を、資源要素１および７におけるシンボル０と資源要素４および１０におけるシンボル４とにマッピングしても良い。６番目のＣＲＳ６０４（６番目の送信アンテナを指す）を、資源要素４および１０におけるシンボル０と資源要素１および７におけるシンボル４とにマッピングしても良い。７番目のＣＲＳ６０６（７番目の送信アンテナを指す）を、資源要素１および７におけるシンボル１にマッピングしても良い。８番目のＣＲＳ６０８（８番目の送信アンテナを指す）を、資源要素４および１０におけるシンボル１にマッピングしても良い。
【００３６】
図１１に、８つの送信アンテナの構成に対するＰＲＢへのＣＲＳマッピング１１００の一実施形態をブロック図で例示する。基地局１０２は、ミリ秒当たり２つのスロット５０２を送信しても良く、各スロットは７つのＰＤＳＣＨＯＦＤＭシンボル１１０２を有する。ミリ秒当たりの最初の３つのＰＤＳＣＨＯＦＤＭシンボル１１０２を、制御領域およびレガシーＣＲＳ領域１１０４として予約しても良い。レガシー・アンテナＣＲＳパターン１１０６を、各スロットの５番目のＰＤＳＣＨＯＦＤＭシンボルにマッピングしても良い。最初の資源ブロックから始めて４つの資源ブロックごとに、補足の送信アンテナ・セットに対するＣＲＳ資源ブロック１１０８として予約しても良い。
【００３７】
基地局１０２は、補足の送信アンテナに対するＣＲＳを、ダウンリンク制御領域における予約した制御チャンネル要素（ＣＣＥ）セットの中にマッピングしても良い。４つの補足の送信アンテナに対して、６つのＣＣＥを予約することによって、アンテナ当たり５４個のＲＥが、対応するＣＲＳに対して利用可能であっても良い。基地局１０２は、ＣＲＳに対する予約したＣＣＥを伴うサブフレームを、ＰＣＦＩＣＨ状態３を用いるかまたは特別なサブフレーム型ビットマップを用いて信号送信しても良い。基地局１０２は、制御領域のサイズを３つのＯＦＤＭシンボルに半静的に設定しても良い。物理ダウンリンク制御チャンネル（ＰＤＣＣＨ）要素に対して残されたＣＣＥの数が依然として、５ＭＨ以上の帯域幅モードに対して最大のスペクトル効率を達成するためにサブフレーム当たりに必要とされる数のＵＥにサービスするかまたはほとんどサービスするのに、十分であっても良い。
【００３８】
図１２に、８つの送信アンテナの構成に対するＣＣＥへのＣＲＳマッピング１２００の一実施形態をブロック図で例示する。最初および２番目のＯＦＤＭシンボル５０６はそれぞれ、２つの６資源要素ＣＣＥ１２０２（資源ブロック５０６当たり）を有していても良い。３番目のＯＦＤＭシンボル５０６は、３つの４資源要素ＣＣＥ１２０４（資源ブロック５０６当たり）を有していても良い。補足の送信アンテナ・セット１１２を表わす補足のセットのＣＲＳを、最初のタイプのＣＣＥ１２０２に含めても良いし、２番目のタイプのＣＣＥ１２０４に含めても良い。
【００３９】
本発明の範囲内の実施形態には、コンピュータ読取可能な媒体であって、コンピュータ実行可能命令またはデータ構造を運ぶかまたは記憶するための媒体が含まれていても良い。このようなコンピュータ読取可能な媒体は、汎用または専用のコンピュータがアクセスすることができる任意の利用可能媒体とすることができる。一例として、限定ではなく、このようなコンピュータ読取可能な媒体として以下のものを挙げることができる。ＲＡＭ、ＲＯＭ、ＥＥＰＲＯＭ、ＣＤＲＯＭ、もしくは他の光ディスク記憶装置、磁気ディスク記憶装置、もしくは他の磁気的な記憶装置、または他の任意の媒体として、所望のプログラム・コード手段をコンピュータ実行可能命令またはデータ構造の形態で運ぶかまたは記憶するために用いることができる媒体である。情報が、ネットワークまたは別の通信接続部（配線接続、無線、またはそれらの組み合わせのいずれか）を介してコンピュータに移されるかまたは提供されると、コンピュータは相応に、接続部をコンピュータ読取可能な媒体として見る。したがって、このような接続部は何れも相応に、コンピュータ読取可能な媒体と呼ばれる。前述したものの組み合わせも、コンピュータ読取可能な媒体の範囲に含めるべきである。
【００４０】
実施形態を、分散コンピューティング環境において実施しても良い。分散コンピューティング環境では、タスクを、通信ネットワークを通して（配線接続リンク、無線リンクのいずれかによって、またはそれらの組み合わせによって）リンクされた局所および遠隔処理装置が行なう。
【００４１】
コンピュータ実行可能命令には、たとえば、汎用コンピュータ、専用コンピュータ、または専用の処理装置に特定の機能または機能群を行なわせる命令およびデータが含まれる。またコンピュータ実行可能命令には、スタンド・アローンまたはネットワーク環境においてコンピュータが実行するプログラム・モジュールが含む。一般的に、プログラム・モジュールには、ルーチン、プログラム、オブジェクト、コンポーネント、およびデータ構造など、特定のタスクを行なうかまたは特定の抽象データ型を実施するものが含まれる。コンピュータ実行可能命令、付随するデータ構造、およびプログラム・モジュールは、本明細書で開示した方法のステップを実行するためのプログラム・コード手段の例を表わしている。このような実行可能命令または付随するデータ構造の特定の手順は、このようなステップにおいて記述される機能を実施するための対応する作用の例を表わしている。
【００４２】
前述の説明には具体的な詳細が含まれている場合があるが、それらは決して請求の範囲を限定するものと解釈すべきではない。本発明の説明した実施形態の他の構成は本発明の範囲の一部である。たとえば、本発明の原理を各個人ユーザに適用しても良く、各ユーザはこのようなシステムを別個に配置しても良い。この結果、考えられる多数の応用例のいずれもが本明細書で説明した機能を必要としない場合であっても、各ユーザは本発明の利益を利用することができる。言い換えれば、電子デバイスがそれぞれ種々の可能な方法で内容を処理する複数の具体例が存在しても良い。すべてのエンド・ユーザが用いる１つのシステムである必要は必ずしもない。したがって、与えられた任意の具体例ではなく、添付の請求項およびそれらの合法的な均等物のみが本発明を規定しなければならない。
【符号の説明】
【００４３】
１００    ＬＴＥキャリア通信システム
１０２    ＬＴＥキャリア・ネットワーク基地
１０４    ネットワーク
１０６    レガシーＵＥデバイス
１０８    補足ＬＴＥ  ＵＥデバイス
１１０    レガシー・アンテナ・セット
１１２    補足アンテナ・セット
２１０    コントローラ／プロセッサ
２２０    メモリ
２３０    データベース・インターフェース
２４０    送受信装置
２５０    入出力（Ｉ／Ｏ）デバイス・インターフェース
２６０    ネットワーク・インターフェース
２７０    バス
３００    ＵＥ
３０２    送受信装置
３０４    プロセッサ
３０６    揮発性メモリ
３０８    不揮発性メモリ
３１０    ユーザ入力インターフェース
３１２    オーディオ・インターフェース
３１４    コンポーネント・インターフェース
３１６    電源
【図１】
2010045777.tif 000003
【図２】
2010045777.tif 000004
【図３】
2010045777.tif 000005
【図４】
2010045777.tif 000006
【図５】
2010045777.tif 000007
【図６】
2010045777.tif 000008
【図７】
2010045777.tif 000009
【図８】
2010045777.tif 000010
【図９】
2010045777.tif 000011
【図１０】
2010045777.tif 000012
【図１１】
2010045777.tif 000013
【図１２】
2010045777.tif 000014